(57)【要約】【課題】複数の表示装置を組み合わせて１つの画像を表示する場合に、複数の表示装置が当該１つの画像を表示するまでに複数の表示装置間で行われるデータ転送に要する時間を削減する。【解決手段】表示装置は、複数の表示装置の全体に関する全体情報と、前記複数の表示装置のそれぞれに関する個別情報とを管理する手段と、外部メモリに格納されている画像ファイルから画像データを生成する生成手段と、前記生成手段により生成された画像データを分割して部分画像データを切り出す手段と、前記切り出された部分画像データを前記複数の表示装置に送信する通信手段と、前記生成手段により生成された画像データを変形して表示部に出力する出力手段と、前記出力手段の動作を制御する制御手段とを有し、前記制御手段は、前記複数の表示装置のそれぞれにおいて、表示する準備が整ったら、前記生成手段により生成された画像データを前記表示部に出力するように制御する。【選択図】図１
2016191876.tif 000002
【特許請求の範囲】
【請求項１】
複数の表示装置を組み合わせて１つの画像を表示する表示システムであって、
前記複数の表示装置の一つは、
前記複数の表示装置の全体に関する全体情報と、前記複数の表示装置のそれぞれに関する個別情報とを管理する表示装置管理手段と、
外部メモリに格納されている画像ファイルから画像データを生成する画像データ生成手段と、
前記画像データ生成手段により生成された画像データを分割して部分画像データを切り出す画像切り出し手段と、
前記画像切り出し手段により切り出された部分画像データを前記複数の表示装置に送信する通信手段と、
前記画像データ生成手段により生成された画像データを変形して表示部に出力する画像出力手段と、
前記画像出力手段の動作を制御する制御手段と
を有し、
前記制御手段は、前記複数の表示装置のそれぞれにおいて、表示する準備が整ったら、前記画像データ生成手段により生成された画像データを前記表示部に出力するように制御することを特徴とする表示システム。
【請求項２】
複数の表示装置の全体に関する全体情報と、前記複数の表示装置のそれぞれに関する個別情報とを管理する表示装置管理手段と、
外部メモリに格納されている画像ファイルから画像データを生成する画像データ生成手段と、
前記画像データ生成手段により生成された画像データを分割して部分画像データを切り出す画像切り出し手段と、
前記画像切り出し手段により切り出された部分画像データを前記複数の表示装置に送信する通信手段と、
前記画像データ生成手段により生成された画像データを変形して表示部に出力する画像出力手段と、
前記画像出力手段の動作を制御する制御手段と
を有し、
前記制御手段は、前記複数の表示装置のそれぞれにおいて、表示する準備が整ったら、前記画像データ生成手段により生成された画像データを前記表示部に出力するように制御することを特徴とする表示装置。
【請求項３】
前記外部メモリを管理するための外部メモリ管理手段と、
前記複数の表示装置に前記画像データの分割方法である画像分割情報を記憶する分割情報記憶手段と、
前記画像データ生成手段により生成された画像データ、または他の表示装置から入力された画像データを選択する入力切り替え手段と、
前記画像データの全体として統計処理を施した統計情報を生成する統計情報生成手段と、
前記画像データと前記統計情報を連結した連結情報を生成する情報連結手段と、
前記連結情報を圧縮して圧縮連結情報を生成する情報圧縮手段と、
前記圧縮連結情報を伸長して連結情報に伸長する情報伸長手段と、
前記連結情報を画像データと統計情報に分離する情報分離手段と、
前記圧縮連結情報を含む情報を、前記複数の表示装置の間で送受信する通信手段と、
前記画像データ生成手段によって生成された画像データと前記情報分離手段によって分離された画像データを選択する画像データ切り替え手段と、
前記統計情報生成手段によって生成された統計情報と前記情報分離手段によって分離された統計情報を選択する統計情報切り替え手段と、
前記画像データ切り替え手段によって選択された画像データを前記統計情報切り替え手段によって選択された統計情報に基づいて画像処理を行う画像処理手段と
を有することを特徴とする請求項２に記載の表示装置。
【請求項４】
外部メモリの装着が検出された場合は、静止画モードを開始するための静止画モード開始命令を前記表示装置管理手段によって管理している表示装置に送信するよう前記通信手段を制御することを特徴とする請求項２に記載の表示装置。
【請求項５】
画像データが生成された場合は、前記統計情報生成手段によって前記画像データの統計情報を生成し、前記統計情報と前記情報連結手段によって前記画像データとを連結して連結情報を生成し、前記連結情報を前記表示装置管理手段によって管理している表示装置に送信するように前記通信手段を制御することを特徴とする請求項３または４に記載の表示装置。
【請求項６】
前記通信手段によって静止画描画の完了を確認するための描画完了通知命令を前記表示装置管理手段によって管理している表示装置に送信し、
静止画描画の完了を通知するための描画完了通知を管理している表示装置から受信した場合は、前記通信手段によって静止画を出画するための出画命令を管理している表示装置に送信するように制御することを特徴とする請求項２〜５のいずれか１項に記載の表示装置。
【請求項７】
外部メモリの取り外しが検出された場合は、静止画モードを終了するための静止画モード終了命令を前記表示装置管理手段によって管理している表示装置に送信するよう前記通信手段を制御することを特徴とする請求項２〜６のいずれか１項に記載の表示装置。
【請求項８】
静止画モードを開始するための静止画モード開始命令を受信した場合は、外部から受信した連結情報を表示可能な静止画モードとなるように制御することを特徴とする請求項２〜７のいずれか１項に記載の表示装置。
【請求項９】
前記連結情報を受信した場合は、前記情報分離手段によって前記連結情報を画像データと統計情報に分離し、前記画像処理手段によって前記画像データを前記統計情報に基づいて画像処理するように制御することを特徴とする請求項３に記載の表示装置。
【請求項１０】
前記描画完了通知命令を受信した場合は、画像処理手段による画像処理が完了するまで待ってから、前記描画完了通知を送信するよう前記通信手段を制御することを特徴とする請求項６〜９のいずれか１項に記載の表示装置。
【請求項１１】
コンピュータを、
複数の表示装置の全体に関する全体情報と、前記複数の表示装置のそれぞれに関する個別情報とを管理する表示装置管理手段と、
外部メモリに格納されている画像ファイルから画像データを生成する画像データ生成手段と、
前記画像データ生成手段により生成された画像データを分割して部分画像データを切り出す画像切り出し手段と、
前記画像切り出し手段により切り出された部分画像データを前記複数の表示装置に送信する通信手段と、
前記画像データ生成手段により生成された画像データを変形して表示部に出力する画像出力手段と、
前記画像出力手段の動作を制御する制御手段
として機能させるためのプログラムであって、
前記複数の表示装置のそれぞれにおいて、表示する準備が整ったら、前記画像データ生成手段により生成された画像データを前記表示部に出力するように前記コンピュータを制御するためのプログラム。
【発明の詳細な説明】
【技術分野】
【０００１】
本発明は、プロジェクタなどの表示装置を有する表示システム等に関する。
【背景技術】
【０００２】
特許文献１には、全表示領域に対する各表示装置の範囲に基づいて子画像データを作る方法が記載されている。
特許文献２には、個々の表示装置の能力を判定して元画像を分割し、分割された画像を符号化する方法が記載されている。
特許文献３には、表示対象の画像を複数の画像に分割して各表示装置に分配する方法が記載されている。
【先行技術文献】
【特許文献】
【０００３】
【特許文献１】特開２００６−３６０９号公報
【特許文献２】特表２００４−５００７３１号公報
【特許文献３】特開２０１２−２７１５４号公報
【発明の概要】
【発明が解決しようとする課題】
【０００４】
複数の表示装置を組み合わせて１つの画像を表示する場合に、複数の表示装置の台数が多い場合などでは、複数の表示装置が当該１つの画像を表示するまでに複数の表示装置間で行われるデータ転送に要する時間が長くなるという課題がある。
【０００５】
そこで、本発明は、複数の表示装置を組み合わせて１つの画像を表示する場合に、複数の表示装置が当該１つの画像を表示するまでに複数の表示装置間で行われるデータ転送に要する時間を削減できるようにすることを目的とする。
【課題を解決するための手段】
【０００６】
上記目的を達成するために、本発明に係る表示システムは、複数の表示装置を組み合わせて１つの画像を表示する表示システムであって、前記複数の表示装置の一つは、前記複数の表示装置の全体に関する全体情報と、前記複数の表示装置のそれぞれに関する個別情報とを管理する表示装置管理手段と、外部メモリに格納されている画像ファイルから画像データを生成する画像データ生成手段と、前記画像データ生成手段により生成された画像データを分割して部分画像データを切り出す画像切り出し手段と、前記画像切り出し手段により切り出された部分画像データを前記複数の表示装置に送信する通信手段と、前記画像データ生成手段により生成された画像データを変形して表示部に出力する画像出力手段と、前記画像出力手段の動作を制御する制御手段とを有し、前記制御手段は、前記複数の表示装置のそれぞれにおいて、表示する準備が整ったら、前記画像データ生成手段により生成された画像データを前記表示部に出力するように制御することを特徴とする。
上記目的を達成するために、本発明に係る表示装置は、複数の表示装置の全体に関する全体情報と、前記複数の表示装置のそれぞれに関する個別情報とを管理する表示装置管理手段と、外部メモリに格納されている画像ファイルから画像データを生成する画像データ生成手段と、前記画像データ生成手段により生成された画像データを分割して部分画像データを切り出す画像切り出し手段と、前記画像切り出し手段により切り出された部分画像データを前記複数の表示装置に送信する通信手段と、前記画像データ生成手段により生成された画像データを変形して表示部に出力する画像出力手段と、前記画像出力手段の動作を制御する制御手段とを有し、前記制御手段は、前記複数の表示装置のそれぞれにおいて、表示する準備が整ったら、前記画像データ生成手段により生成された画像データを前記表示部に出力するように制御することを特徴とする。
上記目的を達成するために、本発明に係るプログラムは、コンピュータを、複数の表示装置の全体に関する全体情報と、前記複数の表示装置のそれぞれに関する個別情報とを管理する表示装置管理手段と、外部メモリに格納されている画像ファイルから画像データを生成する画像データ生成手段と、前記画像データ生成手段により生成された画像データを分割して部分画像データを切り出す画像切り出し手段と、前記画像切り出し手段により切り出された部分画像データを前記複数の表示装置に送信する通信手段と、前記画像データ生成手段により生成された画像データを変形して表示部に出力する画像出力手段と、前記画像出力手段の動作を制御する制御手段として機能させるためのプログラムであって、前記複数の表示装置のそれぞれにおいて、表示する準備が整ったら、前記画像データ生成手段により生成された画像データを前記表示部に出力するように前記コンピュータを制御するためのプログラムである。
【発明の効果】
【０００７】
本発明によれば、複数の表示装置を組み合わせて１つの画像を表示する場合に、複数の表示装置が当該１つの画像を表示するまでに複数の表示装置間で行われるデータ転送に要する時間を削減することができる。
【図面の簡単な説明】
【０００８】
【図１】実施形態１〜３における表示装置（プロジェクタ）が有する構成要素の一例を説明するためのブロック図である。
【図２】実施形態１〜３における表示装置（プロジェクタ）を使った投影方法を説明するための図である。
【図３】実施形態１における表示装置（プロジェクタ）のマルチ投影方法を説明するためのシーケンス図である。
【図４】実施形態２における表示装置（プロジェクタ）のマルチ投影方法を説明するためのシーケンス図である。
【図５】実施形態３における表示装置（プロジェクタ）のマルチ投影方法を説明するためのシーケンス図である。
【図６Ａ】実施形態１における表示装置（プロジェクタ）のマルチ投影方法を説明するためのフローチャートである。
【図６Ｂ】実施形態１における表示装置（プロジェクタ）のマルチ投影方法を説明するためのフローチャートである。
【図６Ｃ】実施形態１における表示装置（プロジェクタ）のマルチ投影方法を説明するためのフローチャートである。
【図７Ａ】実施形態２における表示装置（プロジェクタ）のマルチ投影方法を説明するためのフローチャートである。
【図７Ｂ】実施形態２における表示装置（プロジェクタ）のマルチ投影方法を説明するためのフローチャートである。
【図７Ｃ】実施形態２における表示装置（プロジェクタ）のマルチ投影方法を説明するためのフローチャートである。
【図７Ｄ】実施形態２における表示装置（プロジェクタ）のマルチ投影方法を説明するためのフローチャートである。
【図７Ｅ】実施形態２における表示装置（プロジェクタ）のマルチ投影方法を説明するためのフローチャートである。
【図８Ａ】実施形態３における表示装置（プロジェクタ）のマルチ投影方法を説明するためのフローチャートである。
【図８Ｂ】実施形態３における表示装置（プロジェクタ）のマルチ投影方法を説明するためのフローチャートである。
【図８Ｃ】実施形態３における表示装置（プロジェクタ）のマルチ投影方法を説明するためのフローチャートである。
【図９】マルチ投影設定画面の一例を説明するための図である。
【発明を実施するための形態】
【０００９】
以下、図面を参照して本発明の実施形態を説明する。ただし、本発明の実施形態は以下の実施形態に限定されるものではない。
【００１０】
［実施形態１］
図１は、実施形態１〜３における表示装置（プロジェクタ）が有する構成要素の一例を説明するためのブロック図である。図１に示す構成要素の少なくとも一つは、ハードウェア構成を有する。
ネットワーク１００は、外部の有線のネットワークである。画像入力端子１１０は、外部から画像を入力するための画像入力端子である。画像信号入力部１１１は、画像入力端子１１０から入力された画像信号を受信して画像データに変換する。
【００１１】
ＵＳＢ端子１２０は、ＵＳＢメモリを装着するためのＵＳＢ端子である。外部メモリ管理部１２１は、ＵＳＢ端子１２０にＵＳＢメモリが装着されたことを検出し、装着されたＵＳＢメモリに格納されている画像ファイルを読み出す。画像データ生成部１２２は、外部メモリ管理部１２１によって読み出された画像ファイルから画像データを生成するための画像データ生成部であって、拡大縮小を施して画像データの画素数を調整する機能を含んでいる。
【００１２】
ネットワーク端子１３０は、外部の機器と通信するためのネットワーク１００を接続するためのネットワーク端子である。情報連結部１３１は、外部に送信するための情報を連結する。情報圧縮部１３２は、情報連結部１３１によって連結された情報を圧縮して圧縮連結情報を生成する。通信部１３３は、ネットワーク端子１３０およびネットワーク１００を介して外部の機器と情報を送受信する。情報伸長部１３４は、通信部１３３により受信した情報を伸長する。
【００１３】
情報分離部１３５は、情報伸長部１３４により伸長された情報を分離する。プロジェクタ管理部１３６は、グルーピングされたプロジェクタを管理する表示装置管理ステップを行う。入力切り替え部１４０は、画像信号入力部１１１からの画像データ、あるいは画像データ生成部１２２からの画像データを選択する。分割情報記憶部１５０は、画像データを複数の領域に分割するための画像分割情報を記憶する。
【００１４】
画像切り出し部１５１は、入力切り替え部１４０からの画像データを分割情報記憶部１５０からの分割情報により分割して画像を切り出す。
画像データ切り替え部１５２は、画像切り出し部１５１からの画像データあるいは情報分離部１３５からの画像データを選択する。
【００１５】
統計情報生成部１６０は、入力切り替え部１４０からの画像データを統計処理して統計情報を生成する。統計情報切り替え部１６１は、統計情報生成部１６０からの統計情報あるいは情報分離部１３５からの統計情報を選択する。画像処理部１７０は、画像データ切り替え部１５２からの画像データを統計情報切り替え部１６１からの統計情報に基づいて画像を処理する。ＵＩ画面生成部１７１は、ユーザインターフェースのための画面の画像データを生成するＵＩ画面生成部である。ユーザは、プロジェクタが有するボタン或いはプロジェクタのリモコンによりＵＩ画面生成部１７１を操作することができる。
【００１６】
画像合成部１７２は、画像処理部１７０からの画像データとＵＩ画面生成部１７１からの画像データを合成した画像データを生成する画像合成部であって、ダブルバッファで構成しているので出力する画像データを記憶することもできる。補正情報記憶部１７３は、機器固有の画像データを補正するための補正情報を記憶する。画像補正部１７４は、補正情報記憶部１７３からの補正情報に基づき画像データを補正する。
【００１７】
投影画面情報記憶部１７５は、画像補正部１７４からの画像データを投影される画面に合わせて変形するための投影画面情報を記憶する。画像出力部１７６は、画像補正部１７４からの画像データを、投影画面情報記憶部１７５から出力される投影画面情報に基づいて変形して出力する出力制御を行う画像出力部であり、ダブルバッファで構成しているので出力する画像データを記憶することもできる。
【００１８】
液晶パネル１８０は、画像出力部１７６からの変形済みの画像データを表示する表示部として設けられている。液晶パネル１８０に表示された画像は、プロジェクタが有する投影光学系によりスクリーンに投影される。制御部１９０は、図１に示すプロジェクタが有するすべての構成要素を制御することができ、表示する準備が整ったら液晶パネル１８０に画像が表示されるように画像出力部１７６を制御することができる。
【００１９】
次に、実施形態１〜３における１台の表示装置（プロジェクタ）が、画像入力端子１１０に入力された画像信号を投影する方法を説明する。
以下では、制御部１９０がどのようにして実施形態１〜３における表示装置（プロジェクタ）に含まれる各構成要素を制御するのかを説明する。
画像信号入力部１１１は、画像入力端子１１０から入力された画像信号を受信して画像データに変換する。
入力切り替え部１４０は、制御部１９０からの指示により、画像信号入力部１１１からの画像データを選択する。
【００２０】
分割情報記憶部１５０は、制御部１９０からの指示により、画面全体を切り出し範囲とする分割情報を生成する。
画像切り出し部１５１は、分割情報記憶部１５０からの分割情報により画面全体を切り出し範囲として入力切り替え部１４０からの画像データ全体を切り出す。
画像データ切り替え部１５２は、制御部１９０からの指示により、画像切り出し部１５１からの画像データを選択する。統計情報生成部１６０は、入力切り替え部１４０からの画像データを統計処理して統計情報を生成する。
【００２１】
統計情報切り替え部１６１は、制御部１９０からの指示により、統計情報生成部１６０からの統計情報を選択する。
画像処理部１７０は、画像データ切り替え部１５２からの画像データを統計情報切り替え部１６１からの統計情報に基づいて画像を処理する。ＵＩ画面生成部１７１は、制御部１９０からの指示により、投影中は全画面透明の画像データを生成する。
【００２２】
画像合成部１７２は、画像処理部１７０からの画像データとＵＩ画面生成部１７１からの画像データを合成した画像データを生成する。画像補正部１７４は、補正情報記憶部１７３からの補正情報に基づき画像データを補正する。
画像出力部１７６は、画像補正部１７４からの画像データを、投影画面情報記憶部１７５からの投影画面情報に基づいて変形して出力する。
液晶パネル１８０は、画像出力部１７６からの変形済みの画像データを表示する。そして、液晶パネル１８０に表示された画像は、プロジェクタが有する投影光学系によりスクリーンに投影される。
以上の処理が各構成要素で行なわれることにより、画像入力端子１１０に入力された画像信号がスクリーンに投影される。
【００２３】
次に、実施形態１〜３に係る１台の表示装置（プロジェクタ）が、ＵＳＢメモリに格納されている画像ファイルを投影する方法を説明する。
外部メモリ管理部１２１は、ＵＳＢ端子１２０にＵＳＢメモリが装着されると、制御部１９０に外部メモリ装着イベントを送る。
【００２４】
以下、制御部１９０がどのようにして実施形態１〜３における表示装置（プロジェクタ）に含まれる各構成要素を制御するのかを説明する。
制御部１９０は、ＵＳＢメモリに格納されている画像ファイルの一覧を生成させるための画像一覧命令を外部メモリ管理部１２１に送る。
外部メモリ管理部１２１は、画像一覧命令を受けると、ＵＳＢメモリをスキャンして、ＵＳＢメモリに格納されている画像ファイルの一覧を生成する。
次に、制御部１９０は、外部メモリ管理部１２１により生成された画像ファイルの一覧を含む画像選択命令をＵＩ画面生成部１７１に送る。
【００２５】
ＵＩ画面生成部１７１は、画像選択命令を受けると、その命令と共に受けた画像ファイルの一覧から一覧画面を生成してスクリーンに表示する。ＵＩ画面生成部１７１は、ユーザにより画像ファイルが選択されたら、一覧画面を消去して選択された画像ファイルを示す位置情報を、制御部１９０に返す。
次に、制御部１９０は、画像出力部１７６にブランク命令を送る。画像出力部１７６は、ブランク命令を受けると、ブランク画面を出力する。
ここで、ブランク画面とは、全画面が一様の色（黒またはグレーなど）のラスター画面である。液晶パネル１８０は、画像出力部１７６からのブランク画面を表示する。
【００２６】
制御部１９０は、返された位置情報を含む画像ファイルを読み出すための画像読み出し命令を外部メモリ管理部１２１に送る。
外部メモリ管理部１２１は、画像読み出し命令を受けると、その命令と共に受けた位置情報から画像ファイルを特定して、ＵＳＢメモリからその画像ファイルを読み出す。外部メモリ管理部１２１は、制御部１９０からの指示により、ＵＳＢメモリに格納されている画像ファイルを読み出す。
【００２７】
画像データ生成部１２２は、制御部１９０からの指示により、外部メモリ管理部１２１によって読み出された画像ファイルから画像データを生成する。このとき、画像データを液晶パネル１８０の有効画素数に合わせて、拡大縮小を施して画素数に調整することで、後段の処理を軽減するようにしている。
【００２８】
入力切り替え部１４０は、制御部１９０からの指示により、画像データ生成部１２２からの画像データを選択する。
分割情報記憶部１５０は、制御部１９０からの指示により、画面全体を切り出し範囲とする分割情報を生成する。
画像切り出し部１５１は、分割情報記憶部１５０からの分割情報により画面全体を切り出し範囲として入力切り替え部１４０からの画像データ全体を切り出す。
画像データ切り替え部１５２は、制御部１９０からの指示により、画像切り出し部１５１からの画像データを選択する。
統計情報生成部１６０は、入力切り替え部１４０からの画像データを統計処理して統計情報を生成する。
【００２９】
統計情報切り替え部１６１は、制御部１９０からの指示により、統計情報生成部１６０からの統計情報を選択する。
画像処理部１７０は、画像データ切り替え部１５２からの画像データを統計情報切り替え部１６１からの統計情報に基づいて画像を処理する。
ＵＩ画面生成部１７１は、制御部１９０からの指示により、投影中は全画面透明の画像データを生成する。
【００３０】
画像合成部１７２は、画像処理部１７０からの画像データとＵＩ画面生成部１７１からの画像データを合成した画像データを生成する。
画像補正部１７４は、補正情報記憶部１７３からの補正情報に基づき画像データを補正する。
最後に、制御部１９０は、画像出力部１７６に出画命令を送る。
【００３１】
画像出力部１７６は、制御部１９０から出画命令を受けると、画像補正部１７４からの画像データを投影画面情報記憶部１７５からの投影画面情報に基づいて、変形して出力する。
液晶パネル１８０は、画像出力部１７６からの変形済みの画像データを表示する。液晶パネル１８０に表示された画像は、プロジェクタが有する投影光学系によりスクリーンに投影される。
以上の処理により、ＵＳＢ端子１２０に装着されたＵＳＢメモリに格納されている複数の画像ファイルからユーザが選択した画像ファイルがスクリーンに投影される。
【００３２】
図２は、実施形態１〜３における表示装置（プロジェクタ）を使った投影方法を説明するための図である。
図２（Ａ）は、複数台の表示装置（プロジェクタ）を使ったマルチ投影の様子を説明するための図である。
【００３３】
例えば、４台の表示装置（プロジェクタ）による２×２マルチ投影では、図２（Ａ）のように表示システムを構成する。
それぞれのプロジェクタ２１１、２１２、２１３、２１４は、それぞれ画面２２１、２２２、２２３及び２２４に歪みなく投影されるよう幾何学補正が調整済みである。これらの調整値は、プロジェクタそれぞれの投影画面情報記憶部１７５に記憶している。
また、それぞれの画面の明るさ、色合いも揃うように調整済みである。これらの調整値は、プロジェクタそれぞれの補正情報記憶部１７３に記憶している。２１５は、ネットワークハブである。
【００３４】
次に、プロジェクタ管理部１３６の記憶する装置管理情報（プロジェクタ管理情報）を説明する。
プロジェクタ管理部１３６は、グルーピングされる複数の表示装置（プロジェクタ）の全体に関する情報（以下、全体情報）と、グルーピングされる複数の表示装置（プロジェクタ）のそれぞれに関する情報（以下、個別情報）を管理している。
全体情報には、マルチ投影の構成として、横方向の台数と縦方向の台数が含まれている。また、個別情報には、各表示装置（プロジェクタ）のネットワークアドレス（ハードウェアアドレス）およびマルチ投影での位置についての情報が含まれている。
【００３５】
次に、プロジェクタ管理部１３６に、全体情報と個別情報とを設定する方法を説明する。
図９は、マルチ投影設定画面の一例を説明するための図である。
図９において、９００はマルチ投影設定画面、９１０は左上のマス、９２０は右上のマス、９３０は左下のマス、９４０は右下のマスである。また、９５０は決定ボタン、９６０はキャンセルボタンである。
【００３６】
プロジェクタ２１１において、プロジェクタの名前の一覧を作成する方法を説明する。
ここでは、例として、プロジェクタ２１１には「左上」、プロジェクタ２１２には「右上」、プロジェクタ２１３には「左下」、そして、プロジェクタ２１４には「右下」という名前が設定されているとする。これらの名前は、制御部１９０の内部にあらかじめ設定され記憶されている。
まず、制御部１９０は、プロジェクタ検索命令を通信部１３３に送る。
通信部１３３は、プロジェクタ検索命令を受けると、ネットワーク端子１３０を介してネットワーク１００にプロジェクタ検索命令を送信する。
【００３７】
ここで、プロジェクタ検索命令には、送信元ハードウェアアドレスとしてプロジェクタ２１１のハードウェアアドレス、送信先のハードウェアアドレスとしてブロードキャスト（宛先指定なし）、タイプとしてプロジェクタ検索型といった情報が含まれている。
その後、通信部１３３は、ネットワーク端子１３０を介してネットワーク１００を監視している。
通信部１３３は、他のプロジェクタからのプロジェクタ検索応答が受信されると、プロジェクタ検索応答イベントを制御部１９０に送る。
【００３８】
ここで、プロジェクタ検索応答には、送信元ハードウェアアドレスとして応答したプロジェクタのハードウェアアドレス、送信先のハードウェアアドレスとしてプロジェクタ検索命令の送信元ハードウェアアドレスが含まれている。さらに、タイプとしてプロジェクタ応答型、名前として応答したプロジェクタの名前といった情報が含まれている。
【００３９】
制御部１９０は、プロジェクタ検索応答イベントを受けると、その内容を含むプロジェクタ管理情報更新命令をプロジェクタ管理部１３６に送る。
プロジェクタ管理部１３６は、プロジェクタ管理情報更新命令を受けると、その命令に含まれる内容によってプロジェクタ管理情報を更新する。
【００４０】
次に、ユーザがマルチ投影を設定する場合の手順を説明する。
ユーザは、マルチ投影設定画面を表示されるマルチ投影設定ボタン等を操作して、マルチ投影設定イベントを制御部１９０に送る。
制御部１９０は、マルチ投影設定イベントを受けると、プロジェクタ管理部１３６が記憶しているプロジェクタ管理情報を含むマルチ投影設定命令をＵＩ画面生成部１７１に送る。
【００４１】
ＵＩ画面生成部１７１は、マルチ投影設定命令を受けると、その命令に含まれているプロジェクタ管理情報に基づいてマルチ投影設定画面を生成してスクリーンに表示する。そして、ユーザにより、例えば、左上のマス９１０が選択されると、プロジェクタの名前の一覧が項目となったポップアップメニューが表示されるので、その中から所望のプロジェクタを選択することができる。
【００４２】
ここでは、ユーザは、左上のマス９１０では「左上」を、右上のマス９２０では「右上」を、左下のマス９３０では「左下」を、そして、右下のマス９４０では「右下」を選択したとする。
すると、プロジェクタ管理情報には、マルチ投影の構成として２×２の構成で、左上にはプロジェクタ２１１が、右上にはプロジェクタ２１２が、左下にはプロジェクタ２１３が、右下にはプロジェクタ２１４が設定される。
【００４３】
ＵＩ画面生成部１７１は、ユーザが決定ボタン９５０を選択すると、更新されたプロジェクタ管理情報を制御部１９０に返す。ここで、ユーザがキャンセルボタン９６０を選択した場合には、プロジェクタ管理情報は無効となり破棄される。
【００４４】
次に、制御部１９０は、返されたプロジェクタ管理情報を含むプロジェクタ管理情報更新命令をプロジェクタ管理部１３６に送る。
プロジェクタ管理部１３６は、プロジェクタ管理情報更新命令を受けると、その命令に含まれるプロジェクタ管理情報によって、記憶しているプロジェクタ管理情報を更新する。また、プロジェクタ管理部１３６は、グループとして登録されているプロジェクタ２１２、２１３、２１４それぞれに対するプロジェクタ管理情報を含むプロジェクタ管理情報更新命令を通信部１３３に送る。
【００４５】
通信部１３３は、プロジェクタ管理情報更新命令を受けると、プロジェクタ管理情報更新命令をそれぞれ指定されたプロジェクタ２１２、２１３、２１４に送信する。
【００４６】
次に、プロジェクタ２１２、２１３、２１４がプロジェクタ管理情報更新命令を受信した場合に行う処理を説明する。
通信部１３３は、プロジェクタ管理情報更新命令を受信すると、プロジェクタ管理情報更新イベントを制御部１９０に送る。
制御部１９０は、プロジェクタ管理情報更新イベントを受けると、受信した命令に含まれるプロジェクタ管理情報を含むプロジェクタ管理情報更新命令をプロジェクタ管理部１３６に送る。
【００４７】
プロジェクタ管理部１３６は、プロジェクタ管理情報更新命令を受けると、その命令に含まれるプロジェクタ管理情報によって、記憶しているプロジェクタ管理情報を更新する。
以上の処理により、プロジェクタ２１１でマルチ投影を設定すると、プロジェクタ２１１だけでなく、関連するプロジェクタ２１２、２１３、２１４にも設定内容が反映される。
【００４８】
以上の構成で、一番上段のプロジェクタ２１１にＵＳＢメモリ２１６が装着されてから、その中の画像ファイルが各プロジェクタ２１１、２１２、２１３、２１４によって投影されるまでの各構成要素の動作を説明する。
【００４９】
図３は、４台の表示装置（プロジェクタ）による投影方法を説明するためのシーケンス図である。
以下、プロジェクタ２１１とプロジェクタ２１２、２１３、２１４との間の通信が行われるタイミングは、図３を参照しながら説明する。
また、図６Ａ〜図６Ｃは、プロジェクタ２１１の制御部１９０が行う処理を説明するためのフローチャートである。
以下、プロジェクタ２１１の制御部１９０が行う処理を、図６Ａ〜図６Ｃのフローチャートを参照しながら説明する。
【００５０】
まず、マルチ投影を開始する場合にプロジェクタ２１１が行う処理を説明する。
制御部１９０は、Ｓ６００で動作を開始すると、Ｓ６０５において各構成要素からのイベント待ちを行う。
外部メモリ管理部１２１は、ＵＳＢ端子１２０にＵＳＢメモリ２１６が装着されると、制御部１９０に外部メモリ装着イベントを送る（図３のＳ３１１）。
制御部１９０は、Ｓ６１０において、外部メモリ装着イベントを受けると、Ｓ６１１において、静止画モードを開始するための静止画モード開始命令をプロジェクタ管理部１３６に送る。
【００５１】
プロジェクタ管理部１３６は、静止画モード開始命令を受けると、グループとして登録されているプロジェクタ２１２、２１３、２１４それぞれに対する静止画モードを開始させるための静止画モード開始命令を通信部１３３に送る。
通信部１３３は、静止画モード開始命令を受けると、静止画モード開始命令をそれぞれ指定されたプロジェクタ２１２、２１３、２１４に送信する（図３のＳ３１２、Ｓ３１３、Ｓ３１４）。
【００５２】
Ｓ６１２において、制御部１９０は、ＵＳＢメモリ２１６に格納されている画像ファイルの一覧を生成させるための画像一覧命令を外部メモリ管理部１２１に送る。
外部メモリ管理部１２１は、画像一覧命令を受けると、ＵＳＢメモリ２１６をスキャンして格納されている画像ファイルの一覧を生成する。
【００５３】
次に、Ｓ６１３において、制御部１９０は、生成された画像ファイルの一覧を含む画像選択命令を、ＵＩ画面生成部１７１に送る。
ＵＩ画面生成部１７１は、画像選択命令を受けると、その命令と共に受けた画像ファイルの一覧から一覧画面を生成してスクリーンに表示する。
ＵＩ画面生成部１７１は、ユーザにより画像ファイルが選択されたら、一覧画面を消去して選択された画像ファイルを示す位置情報を制御部１９０に返す（図３のＳ３２１）。
【００５４】
Ｓ６１４において、制御部１９０は、画像出力部１７６にブランク命令を送る。
画像出力部１７６は、ブランク命令を受けると、ブランク画面を出力する。液晶パネル１８０は、画像出力部１７６から出力されたブランク画面を表示する。
Ｓ６１５において、制御部１９０は、返された位置情報を含む画像ファイルを読み出すための画像読み出し命令を外部メモリ管理部１２１に送る。
【００５５】
外部メモリ管理部１２１は、画像読み出し命令を受けると、その命令と共に受けた位置情報から画像ファイルを特定して、ＵＳＢメモリ２１６からその画像ファイルを読み出す。
Ｓ６１６において、制御部１９０は、画像ファイルから画像データを生成するための画像データ生成命令を画像データ生成部１２２に送る。
画像データ生成部１２２は、画像データ生成命令を受けると、外部メモリ管理部１２１から読み出された画像ファイルから画像データを生成する。
【００５６】
このとき、画像データを液晶パネル１８０の有効画素数とマルチ投影の構成に合わせて、拡大縮小を施して画素数に調整することで、後段の処理を軽減するようにしている。
ここで、２×２の構成ならば、液晶パネル１８０の有効画素数の縦、横、それぞれ２倍の画素数に調整するようにしている。
Ｓ６１７において、入力切り替え部１４０は、制御部１９０からの指示により、画像データ生成部１２２からの画像データを選択する。
【００５７】
Ｓ６１８において、制御部１９０は、画像全体の統計情報を生成するために統計情報生成部１６０に統計情報生成命令を送る。
統計情報生成部１６０は、統計情報生成命令を受けると、入力切り替え部１４０からの画像データの統計情報を生成する。
ここで、統計情報とは、輝度の分布や全体の色合いなどを統計処理した情報のことである。
【００５８】
次に、Ｓ６２０において、制御部１９０は、プロジェクタ２１２、２１３、２１４に対して順番に、統計情報と部分画像を含む圧縮連結情報を送信していく。
以下に、プロジェクタ２１２に対する送信動作を説明する。
Ｓ６２１において、制御部１９０は、プロジェクタ管理部１３６にグループとして登録されているプロジェクタの情報を参照して、全画面でのそれぞれのプロジェクタの担当部分の情報を得る。
【００５９】
まず、制御部１９０は、プロジェクタ管理部１３６からの情報で、４分割された画面で、プロジェクタ２１１は左上、プロジェクタ２１２は右上、プロジェクタ２１３は左下、プロジェクタ２１４は、右下の部分を担当していると認識する。
Ｓ６２２において、制御部１９０は、プロジェクタ２１２の担当部分である右上の部分の分割情報を生成するよう、２×２の構成を設定する構成設定命令と、右上の領域を設定する領域設定命令を分割情報記憶部１５０に送る。
分割情報記憶部１５０は、制御部１９０から構成設定命令と領域設定命令を受けると、２×２に４分割された画面の右上の部分の分割情報を生成する。
【００６０】
次に、Ｓ６２３において、制御部１９０は、その分割情報に基づいて、部分画像データを切り出すために画像切り出し部１５１に、画像切り出し命令を送る。
画像切り出し部１５１は、制御部１９０から画像切り出し命令を受けると、入力切り替え部１４０からの画像データの対応する部分の部分画像データを切り出す。
【００６１】
次に、Ｓ６２４において、制御部１９０は、情報連結部１３１に情報連結命令を送る。
情報連結部１３１は、制御部１９０から情報連結命令を受けると、統計情報生成部１６０によって生成した統計情報と、画像切り出し部１５１によって切り出した部分画像データを連結した連結情報を生成する。
次に、Ｓ６２５において、制御部１９０は、情報圧縮部１３２に情報圧縮命令を送る。
情報圧縮部１３２は、情報圧縮命令を受けると、情報連結部１３１によって生成した連結情報を圧縮して圧縮連結情報を生成する。
【００６２】
次に、Ｓ６２６において、制御部１９０は、通信部１３３にプロジェクタ２１２に対する圧縮連結情報送信命令を送る。
通信部１３３は、制御部１９０から圧縮連結情報送信命令を受けると、情報圧縮部１３２によって生成された圧縮連結情報を指定されたプロジェクタ２１２に送信する（図３のＳ３２２）。
【００６３】
引き続き、プロジェクタ２１２に対する送信動作と同様にして、プロジェクタ２１３およびプロジェクタ２１４への送信動作を行う（図３のＳ３２３、Ｓ３２４）。
【００６４】
以下、プロジェクタ２１１自身の担当部分を描画する動作を説明する。
Ｓ６３１において、制御部１９０は、プロジェクタ２１１自身の担当部分である左上の部分の分割情報を生成するよう２×２の構成を設定する構成設定命令と左上の領域を設定する領域設定命令を分割情報記憶部１５０に送る。
分割情報記憶部１５０は、構成設定命令と領域設定命令を受けると、２×２に４分割された画面の左上の部分の分割情報を生成する。
【００６５】
次に、Ｓ６３２において、制御部１９０は、その分割情報に基づいて、画像を切り出すために画像切り出し部１５１に、画像切り出し命令を送る。
画像切り出し部１５１は、画像切り出し命令を受けると、入力切り替え部１４０からの画像データの対応する部分の部分画像データを切り出す。
【００６６】
次に、Ｓ６３３において、画像データ切り替え部１５２は、制御部１９０からの指示により、画像切り出し部１５１からの部分画像データを選択する。
次に、Ｓ６３４において、統計情報切り替え部１６１は、制御部１９０からの指示により、統計情報生成部１６０からの統計情報を選択する。
次に、Ｓ６３５において、制御部１９０は、画像処理を行うための画像処理命令を画像処理部１７０に送る。
【００６７】
画像処理部１７０は、画像処理命令を受けると、画像データ切り替え部１５２からの画像データに、統計情報切り替え部１６１からの統計情報に基づいた画像処理を行う。
画像合成部１７２は、画像処理部１７０からの画像データとＵＩ画面生成部１７１からの画像データを合成した画像データを生成する。
画像補正部１７４は、補正情報記憶部１７３からの補正情報に基づき画像データを補正する。
以上で、プロジェクタ２１１自身の担当部分の描画が完了する（図３のＳ３３１）。
ここで、プロジェクタ２１２、２１３、２１４においても、それぞれの担当部分の描画が進行している（図３のＳ３３２、Ｓ３３３、Ｓ３３４）。
【００６８】
次に、各プロジェクタの表示を同期させる方法を説明する。
Ｓ６３６において、制御部１９０は、プロジェクタ管理部１３６に静止画描画同期命令を送る。プロジェクタ管理部１３６は、静止画描画同期命令を受けると、グループとして登録されているそれぞれのプロジェクタ２１２、２１３、２１４宛ての、静止画の描画が完了したことを確認させるための描画完了通知命令を通信部１３３に送る。
【００６９】
通信部１３３は、それぞれのプロジェクタ２１２、２１３、２１４宛ての描画完了通知命令を受けると、描画完了通知命令をそれぞれ指定されたプロジェクタ２１２、２１３、２１４に送信する（図３のＳ３４２、Ｓ３４３、Ｓ３４４）。
そして、すべてのプロジェクタ２１２、２１３、２１４から静止画描画完了応答があったら、通信部１３３は、制御部１９０に描画完了イベントを送る（図３のＳ３５２、Ｓ３５３、Ｓ３５４）。
【００７０】
Ｓ６４０において、制御部１９０は、描画完了イベントを受けると、Ｓ６４１においてプロジェクタ管理部１３６に出画命令を送る。プロジェクタ管理部１３６は、出画命令を受けると、プロジェクタ２１１を含むすべてのプロジェクタ２１１、２１２、２１３、２１４宛ての静止画を出画するための出画命令を通信部１３３に送る。
【００７１】
通信部１３３は、プロジェクタ２１１を含むすべてのプロジェクタ２１１、２１２、２１３、２１４宛ての出画命令を受けると、出画命令をそれぞれ指定されたプロジェクタ２１１、２１２、２１３、２１４に送信する（図３のＳ３６０）。
この通信は、マルチキャストやブロードキャストのような同報できる通信とすることが望ましい。
そして、通信部１３３は、プロジェクタ２１１の送信した出画命令を受信すると、制御部１９０に静止画出画イベントを送る。
【００７２】
制御部１９０は、Ｓ６４５において、静止画出画イベントを受けると、Ｓ６４６において、画像出力部１７６に出画命令を送る。画像出力部１７６は、出画命令を受けると、画像補正部１７４からの画像データを投影画面情報記憶部１７５からの投影画面情報に基づいて変形して出力する。
液晶パネル１８０は、画像出力部１７６から出力される変形済みの画像データを表示する。液晶パネル１８０に表示された画像は、プロジェクタが有する投影光学系によりスクリーンに投影される。
【００７３】
これらの処理により、プロジェクタ２１１は、ＵＳＢメモリ２１６に格納されている複数の画像ファイルからユーザが選択した画像ファイルの画像においてプロジェクタ２１１が担当する部分の画像がスクリーンに投影される。
【００７４】
次に、マルチ投影を開始する場合にプロジェクタ２１２で行われる処理を説明する。
以下、制御部１９０がどのように各構成要素を制御していくか説明する。
まず、プロジェクタが静止画モード開始命令を受信した場合に行う処理を説明する。
通信部１３３は、プロジェクタ２１１から静止画モード開始命令を受信すると、制御部１９０に静止画モード開始イベントを送る（図３のＳ３１２）。
【００７５】
制御部１９０は、Ｓ６５０において、静止画モード開始イベントを受けると、Ｓ６５１において、プロジェクタ管理部１３６に出画命令を送り、外部から受信した連結情報を表示可能な静止画モードとなるように制御する。
【００７６】
次に、プロジェクタが圧縮連結情報を受信した場合に行う処理を説明する。
通信部１３３は、プロジェクタ２１１から圧縮連結情報を受信すると、制御部１９０に圧縮連結情報受信イベントを送る（図３のＳ３２２）。
制御部１９０は、Ｓ６６０で圧縮連結情報受信イベントを受けると、Ｓ６６１で情報伸長部１３４に情報伸長命令を送る。情報伸長部１３４は、情報伸長命令を受けると、通信部１３３によって受信した圧縮連結情報を伸長して連結情報を生成する。
次に、Ｓ６６２において、制御部１９０は、情報分離部１３５に情報分離命令を送る。情報分離部１３５は、情報分離命令を受けると、情報伸長部１３４によって生成した連結情報を分離して、統計情報と、部分画像を生成する。
【００７７】
次に、Ｓ６６３において、画像データ切り替え部１５２は、制御部１９０からの指示により、情報分離部１３５からの画像データを選択する。
Ｓ６６４において、統計情報切り替え部１６１は、制御部１９０からの指示により、情報分離部１３５からの統計情報を選択する。
【００７８】
次に、Ｓ６６５において、制御部１９０は、画像処理を行うための画像処理命令を画像処理部１７０に送る。画像処理部１７０は、画像処理命令を受けると、画像データ切り替え部１５２からの画像データに統計情報切り替え部１６１からの統計情報に基づいた画像処理を行う。
画像合成部１７２は、画像処理部１７０からの画像データとＵＩ画面生成部１７１からの画像データを合成した画像データを生成する。
画像補正部１７４は、補正情報記憶部１７３からの補正情報に基づき画像データを補正する（図３のＳ３３２）。
【００７９】
次に、プロジェクタが描画完了通知命令を受信した場合に行う処理を説明する。
通信部１３３は、プロジェクタ２１１から描画完了通知命令を受信すると、制御部１９０に描画完了通知イベントを送る（図３のＳ３４２）。
制御部１９０は、Ｓ６７０において、描画完了通知イベントを受けると、Ｓ６７１において、画像補正部１７４による画像データの補正が完了するまで待ち、Ｓ６７２において、完了したら通信部１３３に静止画描画完了応答を送る。
通信部１３３は、静止画描画完了応答を受けると、静止画描画完了応答をプロジェクタ２１１に送信する（図３のＳ３５２）。
【００８０】
次に、プロジェクタが出画命令を受信した場合に行う処理を説明する。
通信部１３３は、プロジェクタ２１１からの出画命令を受信すると、制御部１９０に静止画出画イベントを送る（図３のＳ３６０）。
制御部１９０は、Ｓ６４５において、静止画出画イベントを受けると、Ｓ６４６において、画像出力部１７６に出画命令を送る。
【００８１】
画像出力部１７６は、出画命令を受けると、画像補正部１７４からの画像データを投影画面情報記憶部１７５からの投影画面情報に基づいて変形して出力する。液晶パネル１８０は、画像出力部１７６からの変形済みの画像データを表示する。液晶パネル１８０に表示された画像は、プロジェクタが有する投影光学系によりスクリーンに投影される。
【００８２】
以上の処理により、プロジェクタ２１２は、ＵＳＢメモリ２１６に格納されている複数の画像ファイルからユーザが画像ファイルを選択して、その選択した画像ファイルの画像においてプロジェクタ２１２が担当する部分の画像をスクリーンに投影される。
また、プロジェクタ２１３およびプロジェクタ２１４もプロジェクタ２１２と同様に動作するので、それぞれが担当する部分の画像をスクリーンに投影される。
【００８３】
次に、マルチ投影を終了する場合にプロジェクタ２１１で行われる処理を説明する。
以下、制御部１９０がどのように各構成要素を制御していくかを説明する。
外部メモリ管理部１２１は、ＵＳＢ端子１２０からＵＳＢメモリ２１６が取り外されると、制御部１９０に外部メモリ取り外しイベントを送る（図３のＳ３９０）。
制御部１９０は、Ｓ６８０において、外部メモリ取り外しイベントを受けると、Ｓ６８１において、静止画モードを終了するための静止画モード終了命令をプロジェクタ管理部１３６に送る。
【００８４】
Ｓ６８２において、入力切り替え部１４０は、制御部１９０からの指示により、画像信号入力部１１１からの画像データを選択する。プロジェクタ管理部１３６は、静止画モード終了命令を受けると、グループとして登録されているプロジェクタ２１２、２１３、２１４それぞれに対する静止画モードを終了させるための静止画モード終了命令を通信部１３３に送る。
通信部１３３は、静止画モード終了命令を受けると、静止画モード終了命令をそれぞれ指定されたプロジェクタ２１２、２１３、２１４に送信する（図３のＳ３９２、Ｓ３９３、Ｓ３９４）。
【００８５】
次に、マルチ投影を終了する場合にプロジェクタ２１２で行われる処理を説明する。
以下、制御部１９０がどのように各構成要素を制御していくかを説明する。
通信部１３３は、プロジェクタ２１１から静止画モード終了命令を受信すると、制御部１９０に静止画モード終了イベントを送る（図３のＳ３９２）。
制御部１９０は、Ｓ６９０において、静止画モード終了イベントを受けると、以下のように動作する。
【００８６】
Ｓ６９１において、画像データ切り替え部１５２は、制御部１９０からの指示により、画像切り出し部１５１からの部分画像データを選択する。
Ｓ６９２において、統計情報切り替え部１６１は、制御部１９０からの指示により、統計情報生成部１６０からの統計情報を選択する。
プロジェクタ２１３およびプロジェクタ２１４もプロジェクタ２１２と同様に動作してマルチ投影を終了する。
【００８７】
以上、説明したようにプロジェクタ２１１、２１２、２１３、２１４が協調して動作する。これにより、ＵＳＢメモリ２１６に格納されている複数の画像ファイルから選択された画像ファイルを、プロジェクタ２１１、２１２、２１３、２１４がそれぞれの担当する部分を同期して表示することができる。
【００８８】
図２（Ｂ）は、実施形態１におけるプロジェクタを４台使ったスタック投影の様子である。
図２（Ｂ）において、２３１、２３２、２３３、２３４はそれぞれプロジェクタ、２３５はネットワークハブ、２３６はＵＳＢメモリである。また、２４１はプロジェクタ２３１、２３２、２３３、２３４がスクリーンに重ねて投影した画面である。
【００８９】
実施形態１における４台の表示装置（プロジェクタ）によって、静止画をスタック投影する場合において、マルチ投影する場合との差を説明する。
分割情報記憶部１５０は、制御部１９０から、構成設定命令および領域設定命令を受けて、分割情報を生成する。
ここで、制御部１９０は、マルチ投影をする場合とスタック投影をする場合とで異なる命令を発するようにしている。例えば、スタック投影をする場合、構成設定命令は、１×１とする。また、例えば、スタック投影をする場合、領域設定命令は、画面全体を切り出し範囲としている。
【００９０】
このように、実施形態１においては、複数の表示装置を組み合わせて１つの画像を表示する場合に、複数の表示装置が当該１つの画像を表示するまでに複数の表示装置間で行われるデータ転送に要する時間を削減することができる。
【００９１】
［実施形態２］
実施形態１と同様に、図１および図２を用いて、４台の表示装置（プロジェクタ）によるマルチ投影方法を説明する。
図２（Ａ）の構成で、一番上段のプロジェクタ２１１を操作しながら、二段目のプロジェクタ２１２にＵＳＢメモリ２１７が装着されてから、その中の静止画が各プロジェクタ２１１、２１２、２１３、２１４から投影されるまでの各構成要素の動作を説明する。
【００９２】
図４は、実施形態２における４台の表示装置（プロジェクタ）による投影方法を説明するためのシーケンス図である。
以下、プロジェクタ２１１とプロジェクタ２１２、２１３、２１４との間の通信が行われるタイミングは、図４を参照しながら説明する。
また、図７Ａ〜図７Ｅは、プロジェクタ２１１の制御部１９０のフローチャートである。
以下、プロジェクタ２１１の制御部１９０で行われる処理を、図７Ａ〜図７Ｅのフローチャートを参照しながら説明する。以下の説明において、Ｓ７０８５〜Ｓ７０８７は、図６のＳ６８０〜Ｓ６８２と同様であり、Ｓ７０９０〜Ｓ７０９２は、図６のＳ６９０〜Ｓ６９０と同様である。
【００９３】
まず、マルチ投影を開始する場合にプロジェクタ２１１で行われる処理を説明する。
制御部１９０は、Ｓ７０００において、動作を開始すると、Ｓ７００５において、各構成要素からのイベント待ちを行う。ユーザは、メニュー画面を表示させるメニューボタン等を操作して、メニュー選択イベントを制御部１９０に送る。
【００９４】
制御部１９０は、Ｓ７０１０において、メニュー選択イベントを受けると、７０１１において、メニュー選択命令をＵＩ画面生成部１７１に送る。ＵＩ画面生成部１７１は、メニュー選択命令を受けると、メニュー画面を生成してスクリーンに表示する。ＵＩ画面生成部１７１は、ユーザにより静止画モードが選択されたら、メニュー画面を消去して、制御部１９０に静止画モードイベントを送る。
【００９５】
制御部１９０は、Ｓ７０１５において、静止画モードイベントを受けると、Ｓ７０１６において、静止画モード開始命令をプロジェクタ管理部１３６に送る。プロジェクタ管理部１３６は、静止画モード開始命令を受けると、グループとして登録されているプロジェクタ２１２、２１３、２１４それぞれに対する静止画モードを開始させるための静止画モード開始命令を通信部１３３に送る。
通信部１３３は、静止画モード開始命令を受けると、静止画モード開始命令をそれぞれ指定されたプロジェクタ２１２、２１３、２１４に送信する（図４のＳ４１２、Ｓ４１３、Ｓ４１４）。
【００９６】
Ｓ７０１７において、制御部１９０は、ＵＳＢメモリ２１７が装着されたプロジェクタを検索するために、外部メモリ検索命令をプロジェクタ管理部１３６に送る。プロジェクタ管理部１３６は、外部メモリ検索命令を受けると、グループとして登録されているプロジェクタ２１２、２１３、２１４それぞれに対する外部メモリ検索命令を通信部１３３に送る。
【００９７】
通信部１３３は、外部メモリ検索命令をそれぞれ指定されたプロジェクタ２１２、２１３、２１４に送信する（図４のＳ４２２、Ｓ４２３、Ｓ４２４）。
通信部１３３は、それぞれのプロジェクタ２１２、２１３、２１４から外部メモリ検索結果を受信すると、外部メモリ検索結果をプロジェクタ管理部１３６に送る（図４のＳ４３２、Ｓ４３３、Ｓ４３４）。
【００９８】
プロジェクタ管理部１３６は、外部メモリ検索結果を受けると、その結果を画像ファイルの一覧として記憶して、検索完了イベントを制御部１９０に送る。
制御部１９０は、Ｓ７０２０において、検索完了イベントを受けると、Ｓ７０２１において、プロジェクタ管理部１３６に記憶している画像ファイルの一覧を含む画像選択命令をＵＩ画面生成部１７１に送る。
【００９９】
ＵＩ画面生成部１７１は、画像選択命令を受けると、その命令と共に受けた画像ファイルの一覧から一覧画面を生成してスクリーンに表示する。そして、ＵＩ画面生成部１７１は、ユーザにより画像ファイルが選択されたら、一覧画面を消去して選択された画像ファイルを示す位置情報を制御部１９０に返す（図４のＳ４４０）。
ここでは、プロジェクタ２１２に装着されているＵＳＢメモリ２１７に格納されている画像ファイルを選択したとする。
【０１００】
次に、Ｓ７０２２において、制御部１９０は、画像出力部１７６にブランク命令を送る。画像出力部１７６は、ブランク命令を受けると、ブランク画面を出力する。そして、液晶パネル１８０は、画像出力部１７６からのブランク画面を表示する。
Ｓ７０３０において、制御部１９０は、返された位置情報からどのプロジェクタであるかを判定する。プロジェクタ２１１自身である場合とない場合で処理が異なる。
【０１０１】
まず、判定結果がプロジェクタ２１１自身である場合に行われる処理を説明する。
Ｓ７０３１において、画像データ切り替え部１５２は、制御部１９０からの指示により、画像切り出し部１５１からの部分画像データを選択する。
【０１０２】
Ｓ７０３２において、統計情報切り替え部１６１は、制御部１９０からの指示により、統計情報生成部１６０からの統計情報を選択する。
Ｓ７０３３において、制御部１９０は、返された位置情報を含む画像読み出し命令を外部メモリ管理部１２１に送る。
【０１０３】
外部メモリ管理部１２１は、画像読み出し命令を受けると、その命令と共に受けた位置情報から画像ファイルを特定して、ＵＳＢメモリ２１７からその画像ファイルを読み出す。
その後、Ｓ７０３４において、制御部１９０は、画像データ生成命令を画像データ生成部１２２に送る。画像データ生成部１２２は、画像データ生成命令を受けると、外部メモリ管理部１２１から読み出された画像ファイルから画像データを生成する。
【０１０４】
Ｓ７０３５において、入力切り替え部１４０は、制御部１９０からの指示により、画像データ生成部１２２からの画像データを選択する。
Ｓ７０３６において、制御部１９０は、画像全体の統計情報を生成するために統計情報生成部１６０に統計情報生成命令を送る。統計情報生成部１６０は、統計情報生成命令を受けると、入力切り替え部１４０からの画像データの統計情報を生成する。
【０１０５】
次に、Ｓ７０４０において、制御部１９０は、プロジェクタ２１２、２１３、２１４に対して順番に、統計情報と部分画像を含む圧縮連結情報を送信していく。
この送信動作（Ｓ７０４１〜Ｓ７０４６）の説明は、実施形態１のＳ６２１〜Ｓ６２６と同様なので省略する。また、プロジェクタ２１１自身の担当部分を描画する動作（Ｓ７０５１〜Ｓ７０５６）の説明も、実施形態１のＳ６３１〜Ｓ６３６と同様なので省略する。
【０１０６】
次に、判定結果がプロジェクタ２１１自身でない場合に行われる処理を説明する。
Ｓ７０５７において、制御部１９０は、その位置情報を含む画像ファイルを配信するための画像配信命令をプロジェクタ管理部１３６に送る。
Ｓ７０５８において、画像データ切り替え部１５２は、制御部１９０からの指示により、情報分離部１３５からの画像データを選択する。
Ｓ７０５９において、統計情報切り替え部１６１は、制御部１９０からの指示により、情報分離部１３５からの統計情報を選択する。
【０１０７】
プロジェクタ管理部１３６は、画像配信命令を受けると、その命令と共に受けた位置情報を含む画像ファイルを配信するための画像配信命令を通信部１３３に送る。通信部１３３は、画像配信命令を受けると、画像配信命令を、その命令と共に受けた位置情報によって指定されたプロジェクタ２１２に送信する（図４のＳ４４１）。
その後、プロジェクタ２１１が行う処理（Ｓ７０７０〜Ｓ７０７５）は、実施形態１におけるプロジェクタ２１２が圧縮連結情報を受信した場合に行う処理（Ｓ６６０〜Ｓ６６５）と同様なので省略する（図４のＳ４５１、Ｓ４５３、Ｓ４５４、Ｓ４６２）。
ここで、プロジェクタ２１１、２１３、２１４においても、それぞれの担当部分の描画が進行している（図４のＳ４６１、Ｓ４６３、Ｓ４６４）。
【０１０８】
次に、各プロジェクタ２１１、２１２、２１３、２１４の表示を同期させる方法の説明であるが、実施形態１と同様なので省略する（図４のＳ４７２〜Ｓ４７４、Ｓ４８２〜Ｓ４８４、Ｓ４９０）、（図７のＳ７０６０〜Ｓ７０６１、Ｓ７０８０〜Ｓ７０８２）。
以上の処理により、プロジェクタ２１１は、プロジェクタ２１２に装着されているＵＳＢメモリ２１７に格納されている複数の画像ファイルからユーザが選択した画像ファイルの画像において、プロジェクタ２１１が担当する画像をスクリーンに投影できる。
【０１０９】
次に、マルチ投影を開始する場合にプロジェクタ２１２で行われる処理を説明する。
以下、制御部１９０がどのように各構成要素を制御していくかを説明する。
まず、プロジェクタ２１２が静止画モード開始命令を受信した場合に行う処理を説明する。
通信部１３３は、プロジェクタ２１１から静止画モード開始命令を受信すると、制御部１９０に静止画モード開始イベントを送る（図４のＳ４１２）。
【０１１０】
制御部１９０は、Ｓ７１００において、静止画モード開始イベントを受けると、Ｓ７１０１において、画像出力部１７６にブランク命令を送る。画像出力部１７６は、ブランク命令を受けると、ブランク画面を出力する。液晶パネル１８０は、画像出力部１７６からのブランク画面を表示する。
【０１１１】
次に、プロジェクタ２１２が外部メモリ検索命令を受信した場合に行う処理を説明する。
通信部１３３は、プロジェクタ２１１から外部メモリ検索命令を受信すると、制御部１９０に外部メモリ検索イベントを送る（図４のＳ４２２）。
制御部１９０は、Ｓ７１１０において、外部メモリ検索イベントを受けると、Ｓ７１１１において、外部メモリ管理部１２１にＵＳＢメモリ２１７に格納されている画像ファイルの一覧を生成させるための画像一覧命令を送る。
【０１１２】
外部メモリ管理部１２１は、画像一覧命令を受けると、ＵＳＢメモリ２１７をスキャンして格納されている画像ファイルの一覧を生成する。
Ｓ７１１２において、制御部１９０は、外部メモリ管理部１２１が生成した画像ファイルの一覧を含む外部メモリ検索結果を通信部１３３に送る。
通信部１３３は、画像ファイルの一覧を含む外部メモリ検索結果をプロジェクタ２１１に送信する（図４のＳ４３２）。
【０１１３】
次に、プロジェクタ２１２が画像配信命令を受信した場合に行う処理を説明する。
通信部１３３は、プロジェクタ２１１から画像配信命令を受信すると、その命令と共に受けた位置情報を含む画像配信イベントを制御部１９０に送る（図４のＳ４４１）。
制御部１９０は、Ｓ７１２０において、画像配信イベントを受けると、Ｓ７１２１において、そのイベントと共に受けた位置情報を含む画像読み出し命令を外部メモリ管理部１２１に送る。外部メモリ管理部１２１は、画像読み出し命令を受けると、その命令と共に受けた位置情報から画像ファイルを特定して、ＵＳＢメモリ２１７からその画像ファイルを読み出す。
【０１１４】
その後、Ｓ７１２２において、制御部１９０は、画像データ生成命令を画像データ生成部１２２に送る。画像データ生成部１２２は、画像データ生成命令を受けると、外部メモリ管理部１２１から読み出された画像ファイルから画像データを生成する。
【０１１５】
Ｓ７１２３において、入力切り替え部１４０は、制御部１９０からの指示により、画像データ生成部１２２からの画像データを選択する。
Ｓ７１２４において、制御部１９０は、画像全体の統計情報を生成するために統計情報生成部１６０に統計情報生成命令を送る。統計情報生成部１６０は、統計情報生成命令を受けると、入力切り替え部１４０からの画像データの統計情報を生成する。
【０１１６】
次に、Ｓ７１３０において、制御部１９０は、プロジェクタ２１１、２１３、２１４に対して順番に、統計情報と部分画像を含む圧縮連結情報を送信していく（図４のＳ４５１、Ｓ４５３、Ｓ４５４）。
この送信動作（Ｓ７１３１〜Ｓ７１３６）の説明は、実施形態１と同様なので省略する。
また、プロジェクタ２１２自身の担当部分を描画する動作（Ｓ７１４１〜Ｓ７１４６）の説明も、実施形態１と同様なので省略する（図４のＳ４６２）。
【０１１７】
次に、プロジェクタ２１２が圧縮連結情報を受信した場合に行う処理を説明する。
通信部１３３は、プロジェクタ２１１から圧縮連結情報を受信すると、制御部１９０に圧縮連結情報受信イベントを送る。
圧縮連結情報受信イベントを受けた場合に行われる処理（Ｓ７０７０〜Ｓ７０７５）は、プロジェクタ２１１で行われる処理と同じである。
【０１１８】
次に、プロジェクタ２１２が描画完了通知命令を受信した場合に行う処理を説明する。
通信部１３３は、プロジェクタ２１１から描画完了通知命令を受信すると、制御部１９０に描画完了通知イベントを送る。
描画完了通知イベントを受けた場合に行われる処理（Ｓ７０８０〜Ｓ７０８２）は、プロジェクタ２１１で行われる処理と同じである。
【０１１９】
次に、プロジェクタ２１２が出画命令を受信した場合に行う処理を説明する。
通信部１３３は、プロジェクタ２１１からの出画命令を受信すると、制御部１９０に静止画出画イベントを送る。
静止画出画イベントを受けた場合に行われる処理（Ｓ７０６０、Ｓ７０６１）は、プロジェクタ２１１で行われる処理と同じである。
【０１２０】
以上の処理により、プロジェクタ２１２は、ＵＳＢメモリ２１７に格納されている複数の画像ファイルからユーザが画像ファイルを選択して、その選択した画像ファイルの画像においてプロジェクタ２１２が担当する部分の画像をスクリーンに投影される。
また、プロジェクタ２１３およびプロジェクタ２１４もプロジェクタ２１２と同様に動作するので、それぞれが担当する部分の画像をスクリーンに投影される。
【０１２１】
［実施形態３］
実施形態１および２と同様に、図１および図２を用いて、４台の表示装置（プロジェクタ）によるマルチ投影方法を説明する。
図２（Ａ）の構成で、一番上段のプロジェクタ２１１を操作しながら、そのプロジェクタ２１１に装着されているＵＳＢメモリ２１６の中の静止画が各プロジェクタ２１１、２１２、２１３、２１４から投影されるまでの各構成要素の動作を説明する。
【０１２２】
図５は、実施形態３における４台の表示装置（プロジェクタ）によるマルチ投影方法を説明するためのシーケンス図である。
以下、プロジェクタ２１１とプロジェクタ２１２、２１３、２１４との間の通信が行われるタイミングは、図５を参照しながら説明する。
図８Ａ〜図８Ｃは、プロジェクタ２１１の制御部１９０で行われる処理を説明するフローチャートである。
以下、プロジェクタ２１１の制御部１９０で行われる処理を、図８Ａ〜図８Ｃのフローチャートを参照しながら説明する。以下の説明において、Ｓ８８０〜Ｓ８８２は、図６のＳ６８０〜Ｓ６８２と同様であり、Ｓ８９０〜Ｓ８９２は、図６のＳ６９０〜Ｓ６９０と同様である。
【０１２３】
まず、マルチ投影を開始する場合にプロジェクタ２１１で行われる処理を説明する。
制御部１９０は、Ｓ８００において、動作を開始すると、Ｓ８０５において、各構成要素からのイベント待ちを行う。ユーザは、メニュー画面を表示させるメニューボタン等を操作して、メニュー選択イベントを制御部１９０に送る。
【０１２４】
制御部１９０は、Ｓ８１０において、メニュー選択イベントを受けると、メニュー選択命令をＵＩ画面生成部１７１に送る。ＵＩ画面生成部１７１は、メニュー選択命令を受けると、メニュー画面を生成してスクリーンに表示する。ＵＩ画面生成部１７１は、ユーザにより静止画モードが選択されたら、メニュー画面を消去して、制御部１９０に静止画モードイベントを送る。
【０１２５】
Ｓ８１１において、制御部１９０は、静止画モードイベントを受けると、静止画モード開始命令をプロジェクタ管理部１３６に送る。プロジェクタ管理部１３６は、静止画モード開始命令を受けると、グループとして登録されているプロジェクタ２１２、２１３、２１４それぞれに対する静止画モードを開始させるための静止画モード開始命令を通信部１３３に送る。
【０１２６】
通信部１３３は、静止画モード開始命令を受けると、静止画モード開始命令をそれぞれ指定されたプロジェクタ２１２、２１３、２１４に送信する（図５のＳ５１２、Ｓ５１３、Ｓ５１４）。
Ｓ８１２において、制御部１９０は、ＵＳＢメモリ２１６に格納されている画像ファイルの一覧を生成させるための画像一覧命令を外部メモリ管理部１２１に送る。外部メモリ管理部１２１は、画像一覧命令を受けると、ＵＳＢメモリ２１６をスキャンして格納されている画像ファイルの一覧を生成する。
【０１２７】
次に、Ｓ８１３において、制御部１９０は、生成された画像ファイルの一覧を含む画像選択命令をＵＩ画面生成部１７１に送る。ＵＩ画面生成部１７１は、画像選択命令を受けると、その命令と共に受けた画像ファイルの一覧から一覧画面を生成してスクリーンに表示する。ＵＩ画面生成部１７１は、ユーザにより画像ファイルが選択されたら、一覧画面を消去して選択された画像ファイルを示す位置情報を制御部１９０に返す（図５のＳ５２１）。
次に、Ｓ８１４において、制御部１９０は、画像出力部１７６にブランク命令を送る。画像出力部１７６は、ブランク命令を受けると、ブランク画面を出力する。そして、液晶パネル１８０は、画像出力部１７６からのブランク画面を表示する。
【０１２８】
Ｓ８１５において、制御部１９０は、返された位置情報を含む画像ファイルを読み出すための画像読み出し命令を外部メモリ管理部１２１に送る。外部メモリ管理部１２１は、画像読み出し命令を受けると、その命令と共に受けた位置情報から画像ファイルを特定して、ＵＳＢメモリ２１６からその画像ファイルを読み出す。
【０１２９】
次に、Ｓ８１６において、制御部１９０は、その読み出された画像ファイルを含む画像ファイル送信命令をプロジェクタ管理部１３６に送る。プロジェクタ管理部１３６は、画像ファイル送信命令を受けると、グループとして登録されているプロジェクタ２１２、２１３、２１４それぞれに対する、その命令と共に受けた画像ファイルを含む画像ファイル送信命令を通信部１３３に送る。
【０１３０】
通信部１３３は、画像ファイル送信命令を受けると、その命令で指定されたプロジェクタ２１２、２１３、２１４にその命令と共に受けた画像ファイルを含む画像ファイル情報を送る（図５のＳ５２２、Ｓ５２３、Ｓ５２４）。
その後、Ｓ８１７において、制御部１９０は、画像データ生成命令を画像データ生成部１２２に送る。画像データ生成部１２２は、画像データ生成命令を受けると、外部メモリ管理部１２１から読み出された画像ファイルから画像データを生成する。
【０１３１】
Ｓ８１８において、入力切り替え部１４０は、制御部１９０からの指示により、画像データ生成部１２２からの画像データを選択する。
次に、Ｓ８１９において、制御部１９０は、画像全体の統計情報を生成するために統計情報生成部１６０に統計情報生成命令を送る。統計情報生成部１６０は、統計情報生成命令を受けると、入力切り替え部１４０からの画像データの統計情報を生成する。
以下の処理（Ｓ８２１〜Ｓ８２５）は、実施形態１におけるプロジェクタ２１１の担当部分を描画する動作と同様に動作するので説明を省略する（図５のＳ５３１）。
【０１３２】
ここで、プロジェクタ２１２、２１３、２１４においても、それぞれの担当部分の描画が進行している（図５のＳ５３２、Ｓ５３３、Ｓ５３４）。
次に、各プロジェクタ２１１、２１２、２１３、２１４の表示を同期させる方法の説明であるが、実施形態１と同様なので省略する（図５のＳ５７２〜Ｓ５７４、Ｓ５８２〜Ｓ５８４、Ｓ５９０）（図８のＳ８２６、Ｓ８３０〜Ｓ８３１、Ｓ８４０〜Ｓ８４１）。
これらの処理により、プロジェクタ２１１は、ＵＳＢメモリ２１６に格納されている複数の画像ファイルからユーザが選択した画像ファイルの画像においてプロジェクタ２１１が担当する部分の画像がスクリーンに投影される。
【０１３３】
次に、マルチ投影を開始する場合にプロジェクタ２１２で行われる処理を説明する。
以下、制御部１９０がどのように各構成要素を制御していくかを説明する。
まず、プロジェクタ２１２が静止画モード開始命令を受信した場合に行う処理を説明する。
通信部１３３は、プロジェクタ２１１から静止画モード開始命令を受信すると、制御部１９０に静止画モード開始イベントを送る（図５のＳ５１２）。
【０１３４】
制御部１９０は、Ｓ８５０において、静止画モード開始イベントを受けると、Ｓ８５１において、画像出力部１７６にブランク命令を送る。画像出力部１７６は、ブランク命令を受けると、ブランク画面を出力する。液晶パネル１８０は、画像出力部１７６からのブランク画面を表示する。
【０１３５】
次に、プロジェクタ２１２が画像ファイル情報を受信した場合に行う処理を説明する。
通信部１３３は、プロジェクタ２１１から画像ファイル情報を受信すると、制御部１９０に画像ファイル情報受信イベントを送る（図５のＳ５２２）。
制御部１９０は、Ｓ８６０において、画像ファイル情報受信イベントを受けると、Ｓ８６１において、通信部１３３が受信した画像ファイル情報に含まれる画像ファイルを含む画像データ生成命令を画像データ生成部１２２に送る。画像データ生成部１２２は、画像データ生成命令を受けると、その命令に含まれる画像ファイルから画像データを生成する。
【０１３６】
Ｓ８６２において、入力切り替え部１４０は、制御部１９０からの指示により、画像データ生成部１２２からの画像データを選択する。
次に、Ｓ８６３において、制御部１９０は、画像全体の統計情報を生成するために統計情報生成部１６０に統計情報生成命令を送る。統計情報生成部１６０は、統計情報生成命令を受けると、入力切り替え部１４０からの画像データの統計情報を生成する。
以下の処理（Ｓ８２１〜Ｓ８２６）は、プロジェクタ２１１の担当部分を描画する動作と同様に動作するので説明を省略する（図５のＳ５３２）。
【０１３７】
次に、プロジェクタ２１２が描画完了通知命令を受信した場合に行う処理を説明する。
通信部１３３は、プロジェクタ２１１から描画完了通知命令を受信すると、制御部１９０に描画完了通知イベントを送る（図５のＳ５７２）。
制御部１９０が描画完了通知イベントを受けた場合に行う処理（Ｓ８７０〜Ｓ８７２）は、実施形態１と同様なので省略する（図５のＳ５８２）。
【０１３８】
次に、プロジェクタ２１２が出画命令を受信した場合に行う処理を説明する。
通信部１３３は、プロジェクタ２１１からの出画命令を受信すると、制御部１９０に静止画出画イベントを送る（図５のＳ５９０）。
【０１３９】
制御部１９０が静止画出画イベントを受けた場合に行う処理（Ｓ８４０〜Ｓ８４１）も、実施形態１と同様なので省略する（図５のＳ５９０）。
以上の処理により、プロジェクタ２１２は、ＵＳＢメモリ２１６に格納されている複数の画像ファイルからユーザが画像ファイルを選択して、その選択した画像ファイルの画像において、プロジェクタ２１２が担当する部分の画像をスクリーンに投影される。
また、プロジェクタ２１３およびプロジェクタ２１４も、プロジェクタ２１２と同様に動作するので、それぞれが担当する部分の画像をスクリーンに投影される。
【０１４０】
実施形態１および２のような動作は、画像ファイルの容量が大きいときや表示装置の数が多いときに有利である。また、実施形態３のような動作は、画像ファイルの容量が小さいときや表示装置の数が少ないときに有利である。
従って、プロジェクタ管理部１３６によって管理されているプロジェクタ管理情報と、外部メモリ管理部１２１によって読み出される画像ファイルの容量とに応じて、例えば、実施形態１、実施形態２或いは実施形態３のように切り替える。
【０１４１】
［実施形態４］
実施形態１〜３で説明した様々な機能、処理及び方法は、パーソナルコンピュータ、マイクロコンピュータ、ＣＰＵ（Ｃｅｎｔｒａｌ  Ｐｒｏｃｅｓｓｉｎｇ  Ｕｎｉｔ）などがプログラムを用いて実現することもできる。以下、実施形態４では、パーソナルコンピュータ、マイクロコンピュータ、ＣＰＵなどを「コンピュータＸ」と呼ぶ。また、実施形態４では、コンピュータＸを制御するためのプログラムであって、実施形態１〜３で説明した様々な機能、処理及び方法を実現するためのプログラムを「プログラムＹ」と呼ぶ。
【０１４２】
実施形態１〜３で説明した様々な機能、処理及び方法は、コンピュータＸがプログラムＹを実行することによって実現される。この場合において、プログラムＹは、コンピュータ読み取り可能な記憶媒体を介してコンピュータＸに供給される。実施形態４におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも一つを含む。実施形態４におけるコンピュータ読み取り可能な記憶媒体は、ｎｏｎ−ｔｒａｎｓｉｔｏｒｙ（非一時的）な記憶媒体である。
【符号の説明】
【０１４３】
１２０  ＵＳＢ端子
１２１  外部メモリ管理部
１２２  画像データ生成部
１３０  ネットワーク端子
１３１  情報連結部
１３２  情報圧縮部
１３３  通信部
１３４  情報伸長部
１３５  情報分離部
１３６  プロジェクタ管理部
１４０  入力切り替え部
１５０  分割情報記憶部
１５１  画像切り出し部
１５２  画像データ切り替え部
１６０  統計情報生成部
１６１  統計情報切り替え部
１７０  画像処理部
１７１  ＵＩ画面生成部
１７２  画像合成部
１７３  補正情報記憶部
１７４  画像補正部
【図１】
2016191876.tif 000003
【図３】
2016191876.tif 000004
【図４】
2016191876.tif 000005
【図５】
2016191876.tif 000006
【図６Ａ】
2016191876.tif 000007
【図６Ｂ】
2016191876.tif 000008
【図６Ｃ】
2016191876.tif 000009
【図７Ａ】
2016191876.tif 000010
【図７Ｂ】
2016191876.tif 000011
【図７Ｃ】
2016191876.tif 000012
【図７Ｄ】
2016191876.tif 000013
【図７Ｅ】
2016191876.tif 000014
【図８Ａ】
2016191876.tif 000015
【図８Ｂ】
2016191876.tif 000016
【図８Ｃ】
2016191876.tif 000017
【図９】
2016191876.tif 000018
【図２】
2016191876.tif 000019